(57)【要約】【課題】冷却を向上する誘導加熱調理器を提供すること。【解決手段】制御部１８と加熱コイル右１２−ｂの間に加熱コイル右１２−ｂを支持するコイル支持板２４を設け、コイル支持板２４は、冷却ファンユニット２３の送風口２１と制御部１８を連結するように覆うとともに、第一の開口２５を有し、コイル支持板２４下部にダクトカバー２６を係合させることにより、送風口２１に対して風の吹き出し側に第二の開口２７を一端とし他端を第一の開口２５へと連結するダクト部２８を形成することで、冷却ファンユニットの送風口２１から吸気した風を第二の開口２７から流入させ第一の開口２５から排出される外気から吸い込んだ風を加熱コイルに当てることができ、加熱コイルの冷却を向上することができる。【選択図】図１
2005122963.tif 000002
【特許請求の範囲】
【請求項１】
本体外郭の上部に設けた被加熱物を載置するトッププレートと、前記トッププレートの下部に設け前記被加熱物を誘導加熱する加熱コイルと、本体後部の吸気開口部下方に設け前方に送風口を具備しファンを有する冷却ファンユニットと、前記加熱コイルの下方で冷却ファンの送風口前方に配し前記加熱コイルへ高周波電流を供給する制御部と、前記制御部と前記加熱コイルの間に設けた加熱コイルを支持するコイル支持板とを備え、前記コイル支持板は、冷却ファンユニットの送風口と制御部を連結するように覆うとともに、第一の開口を有し、前記コイル支持板下部にダクトカバーを係合させることにより、前記送風口に対して第二の開口を一端とし他端を前記第一の開口とするダクト部を形成し、前記冷却ファンユニットの送風口から吸気した風を前記第二の開口から流入させ前記第一の開口から排出させる構成とした誘導加熱調理器。
【請求項２】
ダクトカバーは、冷却ファンユニットの送風口側を下方に傾斜させた請求項１に記載の誘導加熱調理器。
【請求項３】
ダクトカバーは、第一の開口から加熱コイルへ吹き出す傾斜部を備えた請求項１に記載の誘導加熱調理器。
【請求項４】
コイル支持板は金属以外の材料で形成した請求項１に記載の誘導加熱調理器。
【請求項５】
複数の加熱コイルを有し、本体略中央に対して冷却ファンと左右反対側にロースタおよびロースタを囲うロースタ仕切りを配し、前記ロースタ仕切り上部に他の加熱コイルを設け、コイル支持板の第一の開口を他の加熱コイル側に設け、冷却ファンの送風口から吸気した風を第二の開口から流入させ前記第一の開口から排出させる構成とした請求項１に記載の誘導加熱調理器。
【発明の詳細な説明】
【技術分野】
【０００１】
本発明は、誘導加熱調理器に関するもので特に冷却の構成に関する。
【背景技術】
【０００２】
従来、この種の誘導加熱調理器としては、例えば、特許文献１（特開２００１−２６７０５４）に記載されているようなものがあった。
【０００３】
図５は、特許文献１に記載された従来の誘導加熱調理器の断面図を示すものである。図５に示すように、この誘導加熱調理器はシステムキッチンのキャビネットに組み込んで使用する構成のものである。被加熱調理器具である鍋などを載置するトッププレート１があり、そのトッププレート１の下には、手前に加熱コイル２が置かれこれらが本体外郭３の中に納められている。本体外郭３内には、加熱コイル２を駆動制御する制御部４を配している。制御部４の奥には前方に送風口５を具備する１つのファン６を有する冷却ファンユニット７が取り付けられ、送風口は制御部４に風を吹き付けるように設けられている。
【０００４】
トッププレート１の右後方に設けられた吸気開口部８から外気が入り、ファンユニット７の送風口５から吐出した空気は、制御部４に向けて吹き付けられ、制御部４を冷却し、その後加熱コイル２をとおり、冷却する構成になっている。
【特許文献１】特開２００１−２６７０５４号公報
【発明の開示】
【発明が解決しようとする課題】
【０００５】
しかしながら、前記従来の構成では、加熱コイルの冷却は制御部の冷却をした後の冷却風によるため、加熱コイルの冷却性能向上が困難であるという課題を有していた。本発明は前記従来の課題を解決するもので、冷却性能を向上する誘導加熱調理器を提供することを目的とする。
【課題を解決するための手段】
【０００６】
前記従来の課題を解決するために、本発明の誘導加熱調理器は制御部と加熱コイルの間に加熱コイルを支持するコイル支持板を設け、前記コイル支持板は、冷却ファンの送風口と制御部を連結するように覆うとともに、第一の開口を有し、前記コイル支持板下部にダクトカバーを係合させることにより、前記送風口に対して第二の開口を一端とし他端を前記第一の開口とするダクト部を形成し、前記冷却ファンの送風口から吸気した風を前記第二の開口から流入させ前記第一の開口から排出させる構成としたものである。
【０００７】
これによって、吸気した風が直接加熱コイルに送風され加熱コイル冷却に利用されるので加熱コイルの冷却が向上するものである。
【発明の効果】
【０００８】
本発明の誘導加熱調理器は、冷却性能を向上することができる。
【発明を実施するための最良の形態】
【０００９】
第１の発明は、本体外郭の上部に設けた被加熱物を載置するトッププレートと、前記トッププレートの下部に設け前記被加熱物を誘導加熱する加熱コイルと、本体後部の吸気開口部下方に設け前方に送風口を具備しファンを有する冷却ファンユニットと、前記加熱コイルの下方で冷却ファンの送風口前方に配し前記加熱コイルへ高周波電流を供給する制御部と、前記制御部と前記加熱コイルの間に設けた加熱コイルを支持するコイル支持板とを備え、前記コイル支持板は、冷却ファンユニットの送風口と制御部を連結するように覆うとともに、第一の開口を有し、前記コイル支持板下部にダクトカバーを係合させることにより、前記送風口に対して第二の開口を一端とし他端を前記第一の開口とするダクト部を形成し、前記冷却ファンユニットの送風口から吸気した風を前記第二の開口から流入させ前記第一の開口から排出させる構成としたことにより、加熱コイルへ吸気した風を直接あたることにより、加熱コイルの冷却を向上することができる。
【００１０】
第２の発明は、特に、第１の発明の送風口に対してダクトカバーは、冷却ファンユニットの送風口側を下方に傾斜させたことにより、より加熱コイルへの冷却風をかきこむことができ、加熱コイルの冷却を向上することができる。
【００１１】
第３の発明は、特に、第１の発明の送風口に対してダクトカバーは、第一の開口から加熱コイルへ吹き出す傾斜部を備えた構成とすることにより、加熱コイルへ向けて冷却風を当てることができ、加熱コイルの冷却を向上することができる。
【００１２】
第４の発明は、特に、第１の発明のコイル支持板は金属以外の材料で形成することにより、金属のように加熱コイルからの誘導加熱磁界を遮断することなく、効率よく加熱することができる。
【００１３】
第５の発明は、特に、第１の発明の複数の加熱コイルを有し、本体略中央に対して冷却ファンと左右反対側にロースタおよびロースタを囲うロースタ仕切りを配し、ロースタ仕切り上部に他の加熱コイルを設け、コイル支持板の第一の開口を他の加熱コイル側に設け、冷却ファンの送風口から吸気した風を第二の開口から流入させ前記第一の開口から排出させる構成することにより、ファンから遠い位置にある加熱コイルに風を当てることができ、冷却向上ができるとともにダクトが略Ｌ字になることで、強度を増すことができる。
【００１４】
以下、本発明の実施の形態について、図面を参照しながら説明する。なお、本実施の形態によって本発明が限定されるものではない。
【００１５】
（実施の形態１）
図１は、本発明の第１の実施の形態における誘導加熱調理器の内部の構成を示す斜視図、図２は本発明の第１の実施の形態における誘導加熱調理器の右側面の断面を示す断面図、図３は本発明の第１の実施の形態におけるダクト構成の概略図である。
【００１６】
この誘導加熱調理器はシステムキッチンのキャビネットに組み込んで使用する構成のものである。図１および図２、図３において、被加熱物である鍋などを載置するトッププレート１１があり、そのトッププレート１１の下には、左手前に出力定格が３ｋＷである加熱コイル左１２−ａと右手前に出力定格が２ｋＷである加熱コイル右１２−ｂと中央奥に１口のラジェントヒータ１３が置かれている。また前面右側には操作部１４、左側にロースタ１５が置かれ、ロースタ１５の上方にはロースタ仕切り１６があり、これらが本体外郭１７の中に納められている。
【００１７】
本体外郭１７内のロースタ１５の右側には、加熱コイル左右１２―ａ、ｂを駆動制御する制御部１８が樹脂製の基板ベース１９に固定されている。制御部１８の奥の吸気開口部２０下方で、前方に送風口２１を具備する１つのファン２２を有する冷却ファンユニット２３を設け、制御部１８の上方で加熱コイル右１２−ｂの下方の間に加熱コイル右１２−ｂを支持するコイル支持板２４を設けている。コイル支持板２４は、冷却ファンユニット２３の送風口２１と制御部１８を連結するように覆うとともに、基板ベース１９に支持され、第一の開口２５を有している。またここで、コイル支持板２４は樹脂製の一部品で構成されており、コイル支持板下方にダクト部２８を構成しダクトカバー２６を取付ける、一方が送風口側で、他方が第一の開口へ至る壁２９を配している。コイル支持板２４下部には一方が送風口側で、他方が第一の開口へ至る壁２９に沿ったダクトカバー２６を係合させることにより、送風口２１に対して風の吹き出し側に第二の開口２７を一端とし他端を第一の開口２５へと連結するダクト部２８を形成している。
【００１８】
以上のように構成された誘導加熱調理器について、以下その動作、作用を説明する。まず、誘導加熱調理器は、加熱コイルに高周波電流を流すことで、加熱コイルから交番磁界を発生し、被加熱物である鍋に渦電流を発生させて加熱を行うため、加熱コイルにはコイル抵抗と流れる電流により自己発熱が発生するとともに、鍋からの熱をトッププレートを介して受けるため、高温になる。しかし加熱コイルの電気絶縁物の温度を超えると絶縁破壊を起こしてしまうため、加熱コイルの温度を下げるために冷却が必要となる。また、加熱コイルに電流を供給する制御部も同様に自己発熱をし、制御部に存在する部品の使用部品温度を超えないよう冷却が必要となる。
【００１９】
ここで、冷却風の経路を説明する。トッププレート１１の後方に設けられた吸気開口部２０から外気が入り、冷却ファンユニット２３の通気経路を通り、ファン２２に吸い込まれ、送風口２１から制御部１８へ吹き出されるとともに、冷却ファンユニットの送風口２１から吸気した風を第二の開口２７から流入させ第一の開口２５から排出され、加熱コイルを冷却する。
【００２０】
以上のように、本実施の形態においては、送風口を制御部１８に向け風を吹きつけ、制御部１８の発熱部品、たとえばスイッチング素子等の冷却を外気から吸い込んだ風を直接当てて冷却するとともに、送風口２１に対して風の吹き出し側に第二の開口２７を一端とし他端を第一の開口２５へと連結するダクト部２８を形成することで、冷却ファンユニットの送風口２１から吸気した風を第二の開口２７から流入させ第一の開口２５から排出される外気から吸い込んだ他の熱影響を受けていない風を、加熱コイルに当てることができ加熱コイルの冷却を向上することができる。
【００２１】
また、コイル支持板２４は一部品で構成されており、基板ベース１９に支持され、ダクト部２８を構成し、ダクトカバー２６を取り付ける壁２９を配することで、この壁によりコイル支持板のコイル支持体としての強度を増すことができる。
【００２２】
さらに、金属では、渦電流損となり熱に磁界が変化してしまうが、加熱コイルを支持するコイル支持板を樹脂製の部品とすることにより、誘導加熱を行う加熱コイルから発生する磁界を阻害することなく、加熱磁界を効率よく鍋加熱に使用することができる。
【００２３】
また、本実施例の形態のダクトカバー２６の冷却ファンユニット２３の送風口２１側を下方に傾斜させ送風口に対して角度を有する第二の開口を構成することにより、特に送風口からダクト部２８への風の流入量を増すことができ、加熱コイルの冷却を向上することができる。さらに、ダクトカバーをコイル支持板の下方から設置するため、コイル支持板に配したダクト部を形成する壁を傾斜させることでも開口面積を変化することが可能となる。
【００２４】
また、本実施例の形態のダクトカバー２６に第一の開口２５から加熱コイルへ吹き出す傾斜部を設けることにより、特に、加熱コイルへ向けて冷却風を当てるよう風に方向性をもたせることができ、加熱コイルの冷却を向上することができる。
【００２５】
（実施の形態２）
図３は、本発明の第２の実施の形態における誘導加熱調理器の内部の構成を示す斜視図である。
【００２６】
第１の実施の形態と異なる点は、コイル支持板２４の第一の開口２５を加熱コイル左１２−ａ側に設けた点である。
【００２７】
以上のように構成することにより、冷却ファンの送風口から吸気した風を第二の開口から流入させ前記第一の開口から排出させ、加熱コイル左１２−ａに冷却風をあてる。
【００２８】
以上のように本実施の形態では、コイル支持板２４の第一の開口２５を加熱コイル左１２−ａ側に設け、冷却ファンの送風口から吸気した風を第二の開口から流入させ前記第一の開口から排出させ、加熱コイル左１２−ａに冷却風をあてることにより、ファンから遠い位置にある加熱コイル左１２−ａに外気の風を当てることができ、冷却の効率が向上するとともにダクト部２８が略Ｌ字になることで、コイル支持板の強度を増すことができる。
【産業上の利用可能性】
【００２９】
以上のように、本発明に関わる誘導加熱調理器は、より冷却性能を向上が可能となるので、組み込み式以外の誘導加熱調理器等の用途にも適用できる。
【図面の簡単な説明】
【００３０】
【図１】本発明の実施の形態１における誘導加熱調理器の内部の構成を示す斜視図
【図２】本発明の実施の形態１における誘導加熱調理器の右側面の断面を示す断面図
【図３】本発明の実施の形態１におけるダクト構成概略図
【図４】本発明の実施の形態２における誘導加熱調理器の内部の構成を示す斜視図
【図５】従来の誘導加熱調理器の断面図
【符号の説明】
【００３１】
１、１１  トッププレート
２  加熱コイル
３、１７  本体外郭
４、１８  制御部
５、２１  送風口
６、２２  ファン
７、２３  冷却ファンユニット
８、２０  吸気開口部
１２−ａ  加熱コイル左
１２−ｂ  加熱コイル右
１３  ラジェント
１４  操作部
１５  ロースタ
１６  ロースタ仕切り
１９  基板ベース
２４  コイル支持板
２５  第一の開口
２６  ダクトカバー
２７  第二の開口
２８  ダクト部
２９  壁
【図１】
2005122963.tif 000003
【図２】
2005122963.tif 000004
【図３】
2005122963.tif 000005
【図４】
2005122963.tif 000006
【図５】
2005122963.tif 000007